(57)【要約】【課題】地震の発生等によりストッパーが外されると、ばねの力により継手雌と継手雄の結合を外すと同時に、弁を閉じて燃料の供給を停止させ、火災の発生を未然に防止することができる供給燃料の自動停止装置を提供する。【解決手段】継手雌２の受孔３に継手雄４の挿子５を挿入すると、接合手段６と開弁手段７が作動して、継手雌２と継手雄４を燃料が通るように接合し、操作環８により継手雌２と継手雄４の接合を外すと弁９が閉じて燃料を止める管継手１０に、常時はストッパー１１により制止されていて、地震の発生時等にストッパー１１が外されると、ばね１２に付勢されて前記操作環８を接合が外れる方向に移動させる操作手段１３を組み合わせること。【選択図】　　　　図４
2004011946.tif 000002
【特許請求の範囲】
【請求項１】
継手雌の受孔に継手雄の挿子を挿入すると、接合手段と開弁手段が作動して、継手雌と継手雄を燃料が通るように接合し、操作環により継手雌と継手雄の接合を外すと弁が閉じて燃料を止める管継手に、
常時はストッパーにより制止していて、地震の発生時等にストッパーが外されると、ばねに付勢されて前記操作環を接合が外れる方向に移動させる操作手段を組み合わせた
ことを特徴とする供給燃料の自動停止装置。
【発明の詳細な説明】
【０００１】
【発明の属する技術分野】
本発明は、地震の発生時等に燃料の供給を自動的に停止させる装置に関する。
【０００２】
【従来の技術】
家庭用、営業用のガス器具の燃料供給ホースには、商品名「カチット」と呼ばれる継手が使われて、この継手は継手雌の受口に継手雄の挿子を挿入すると、雄雌がワンタッチで結合されるとともに、継手雄に設けた弁が開いて燃料の供給が行なわれるようになり、継手を外すと弁が閉じて燃料の供給を止めるという非常に便利なものである。
【０００３】
従って、前記継手は、家屋が損壊するような地震等が発生するとき、継手雌と継手雌の結合を自動的に外す装置が組み合わされていれば、燃料供給の自動停止により火災の発生を未然に防止することができるが、このような装置はまだ提供されていない。
【０００４】
【発明が解決しようとする課題】
本発明は前記現状に鑑み、地震の発生等によりストッパーが外されると、ばねの力により継手雌と継手雄の結合を外すと同時に、弁を閉じて燃料の供給を停止させ、火災の発生を未然に防止することができる供給燃料の自動停止装置を提供することをその課題とする。
【０００５】
【課題を解決するための手段】
前記課題を解決するため、本発明に係る供給燃料の自動停止装置は、下記の構成を採用することを特徴とする。
継手雌の受孔に継手雄の挿子を挿入すると、接合手段と開弁手段が作動して、継手雌と継手雄を燃料が通るように接合し、操作環により継手雌と継手雄の接合を外すと弁が閉じて燃料を止める管継手に、
常時はストッパーにより制止されていて、地震の発生時等にストッパーが外されると、ばねに付勢されて前記操作環を接合が外れる方向に移動させる操作手段を組み合わせること。
【０００６】
【発明の実施の形態】
以下に本発明に係る供給燃料の自動停止装置の実施形態を図面に基づいて説明する。
【０００７】
図１〜図４において符号１は、供給燃料の自動停止装置を示す。この自動停止装置１は、継手雌２の受孔３に継手雄４の挿子５を挿入すると、接合手段６と開弁手段７が作動して、継手雌２と継手雄４を燃料が通るように接合し、操作環８により継手雌２と継手雄４の接合を外すと弁９が閉じて燃料を止める管継手１０に、常時はストッパー１１により制止していて、地震の発生時等にストッパー１１が外されると、ばね１２に付勢されて前記操作環８を接合が外れる方向に移動させる操作手段１３を組み合わせた構成である。
【０００８】
前記継手雌３は、受孔３内に継手雄４の挿子５の先端に接する管状シール部材１４を、コイルばね１５を圧縮するように収容して、挿子５の環状凹部１６に対応する受孔３の周壁の部分には、３個以上の孔１７をあけて、これらの孔１７に周壁の厚さよりも少し直径が大きい接合手段６の球を収容し、これら球６が挿子５の環状凹部１６に対応したとき、操作環８の抑え段部８ａにより球６を環状凹部１６へ押し込ませると、継手雌２と継手雄４が離脱しないように接合される。
【０００９】
また、継手雌２は、受孔３とは反対側に筒１８を突出させて、この筒１８に器具側の管１９を取り付け、筒１８の中心部にはアーム２０に支持させて、開弁手段７の軸を、受孔３へ挿子５を挿入するとき先端が継手雄４内に設けた弁９へ当ってこれを開かせるように設ける。
【００１０】
前記操作環８は、受孔３を囲むように継手雌２に設けた環状溝２１へコイルばね２２を圧縮するように収容して、その抑え段部８ａの右端が受孔３の開口部の外側に設けた制止縁２３へ係合する位置に前記コイルばね２２によって保持されるようにする。
【００１１】
前記継手雄４は、弁座２４を挿子５側に有する弁室２５を内設して、この弁室２５内にコイルばね２６により弁座２４へ圧接されて閉じる弁９を収容し、挿子５とは反対側に突出させた筒２７には引込側の管２８を取り付けてある。
【００１２】
前記操作環８の操作手段１３は、付勢用のコイルばね１２を収容した主筒２９の一端に、管継手１０を収めた収容筒３０を着脱可能に取り付け、内部には前記コイルばね１２を外装した作動筒３１を、一部分が主筒２９の反対側へ突出して握り３２を取り付けられ、他端には継手雌２の操作環８を押圧する押圧環３３が取り付けられるか、配置されるようにする。
【００１３】
前記操作手段１３の制止に用いるストッパー１１は、主筒２９と作動筒３１の握り３２との間に挟んでばね１２に加圧される作動筒３１の移動を制止させるものであり、中間を軸３４に支持させたレバー３５の一端に吊り、レバー３５の他端は主筒２９上に立設した重錘３６の案内筒３７内に位置させて、この部分へ重錘３６が落ちかかると、レバー３５が回動されて主筒２９と作動筒３１の握り３２との間からストッパー１１を外すようにしてある。
【００１４】
前記重錘３６は、主筒２９に取り付けたフレーム３８に支持させて、弾力を重錘３６の重量よりも少し勝るように設定したねじりばね３９に強靭な糸４０等により吊り上げて置くとともに、前記ねじりばね３９には強靭な糸４０等により落下重錘４１を取り付けて、この落下重錘４１をフレーム３８に支持される円弧底の受皿４２に支持させて置く。こうすると、大きな地震が発生して落下重錘４１を受皿４２から落すと、ねじりばね３９が変形して案内筒３７内の重錘３６をレバー３５へ落ちかからせる。
【００１５】
前記のように重錘３６が落ちかかると、レバー３５は回動してストッパー１１を主筒２９と作動筒３１の握り３２との間から外し、ばね１２の力により作動筒３１を移動させて、押圧環３３により操作環８を押し動かす。このため、接合手段６が外されて継手雌２と継手雄４を離反させるとともに、開弁手段７が弁９は閉じさせて燃料の供給を停止する。
【００１６】
なお、前記落下重錘４１は、調理時に油に引火するようなときは、手近にある物を使って受皿４２より落下重錘４１を跳ね落とすと、前記同様に重錘３６が作動してレバー３５を回動させ、ストッパー１１を外してばね１２の力を押圧環３３に加えるため、操作環８が作動されて接合手段６の外し操作と、開弁手段７による閉弁操作を行なわせて、燃料の供給を自動的に停止させる。
【００１７】
【発明の効果】
地震の発生時等にストッパーが外されると、ばねにより操作手段が作動されて継手雌と継手雄の離反と弁閉じとを行なうため、燃料の供給が自動的に停止されて火災の発生を未然に防止することができる。
調理時に油に引火したときストッパーを人為的に外すと、継手の離反と弁閉じが行なわれて、燃料の供給を自動的に停止するため、この場合も大火に至るようなことがない。
離反した継手雌と継手雄は、接合すると弁が開いて燃料の供給ができるようになり、復旧を異数を要さず速やかに行なえる。
【図面の簡単な説明】
【図１】本発明に係る供給燃料の自動停止装置の実施形態を示す正面図である。
【図２】同上の縦断側面図である。
【図３】継手雌と継手雄が接合されて弁が開いた状態の要部の縦断正面図である。
【図４】継手雌と継手雄が離反して弁が閉じた状態の要部の縦断正面図である。
【図５】管継手の構造を拡大して示す縦断正面図である。
【符号の説明】
１　供給燃料の自動停止装置
２　継手雌
３　受孔
４　継手雄
５　挿子
６　接合手段
７　開弁手段
８　操作環
９　弁
１０　管継手
１１　ストッパー
１２　操作手段
【図１】
2004011946.tif 000003
【図２】
2004011946.tif 000004
【図３】
2004011946.tif 000005
【図４】
2004011946.tif 000006
【図５】
2004011946.tif 000007